(57)【要約】      （修正有）【課題】被撮影物の万華鏡の虚像と、被撮影物の実像とを組み合わせた映像や写真、または、実像と虚像の重畳した映像や写真が撮影できる万華鏡撮影装置を提供する。【解決手段】雲台上に載置したカメラと、複数の鏡面を平行に対向して多角形に配設した万華鏡と、からなると共に、該万華鏡の一方の鏡筒端部をカメラのレンズに近接して配置した万華鏡撮影装置において、該カメラレンズの前球部の表面内径が、該万華鏡の覗き窓を有する該端部よりも大きくなるように構成し、かつ、該前球部の内径の一端と該万華鏡端部の一端が重なるように該鏡筒軸心を片寄らせて配置して、被撮影物の実像と虚像とを組合わせた映像が得られることを特徴とし、また、前記カメラのレンズの軸心と前記万華鏡の鏡筒の軸心とのなす偏角が０〜２０°になるように調節できることを特徴とする万華鏡撮影装置。  【選択図】図１
0003144684.tif 000002
【実用新案登録請求の範囲】
【請求項１】
雲台上に載置したカメラと、複数の鏡面を平行に対向して多角形に配設した万華鏡と、からなると共に、該万華鏡の鏡筒の片方の端部をカメラのレンズに近接して配置した万華鏡撮影装置において、該カメラレンズの前球部の内径が、該万華鏡の覗き窓を有する該端部よりも大きくなるように構成し、かつ、該前球部の内径の一端と該万華鏡端部の一端が重なるように該鏡筒の軸心を片寄らせて配置して、被撮影物の実像と虚像とを組合わせた映像を得ることができることを特徴とする万華鏡撮影装置。
【請求項２】
前記万華鏡の鏡筒端部の差渡し径が、前記カメラ前球部の内径の０．５〜０，８の範囲であることを特徴とする請求項１に記載の万華鏡撮影装置。
【請求項３】
前記カメラのレンズの軸心と前記万華鏡の鏡筒の軸心とのなす偏角が０〜２０°になるようにカメラと万華鏡の相対的位置を調節できることを特徴とする請求項１または２に記載の万華鏡撮影装置。
【考案の詳細な説明】
【技術分野】
【０００１】
本考案は、被撮影物が万華鏡を通して得た映像を撮影する万華鏡撮影装置に関し、従来に比し変化に富み、かつ、美的効果があって、幻想的な撮影映像を提供することができる万華鏡撮影装置に関するものである。
【背景技術】
【０００２】
通常、万華鏡は円筒の中に細長い３枚の平面鏡を鏡面を内側にして三角形に嵌め込み、筒の一端をすりガラスで覆い、他の端におもに透明で小さな色片を数多く入れてある。筒を明るい方向に向けて覗き穴から見ると、色片が３枚の鏡面に写って見え、筒を回すとそれがさまざまに位置を変化させ、同じ模様が再び現れず、美しく見えるので万華鏡といわれる。
【０００３】
また、万華鏡の内側の鏡は２以上の鏡を張り合わせて用いることができ、鏡の数や鏡を合わせる角度により、鏡の反射像はシンメトリックな多面体の映像が種々変化して見ることができる。また、万華鏡の見える映像を撮影することができるカメラ撮影用部材が先行技術として開示されている（参考文献１）。
【特許文献１】特開２００５−３５２３４６号公報（〔０００５〕、〔０００７〕、〔００１５〕、〔図６〕）
【考案の開示】
【考案が解決しようとする課題】
【０００４】
この先行技術は、カメラレンズが異なる大きさの場合でも対応することができ、万華鏡として使用できるカメラ撮影用部材であって、経済的で、取り扱い易いとしている。この技術を用いて撮影された万華鏡の映像は、万華鏡の種々変化した映像ではあるが、シンメトリックな多面体の虚像を主体としたものであるから単純な映像であるともいえる。
【０００５】
そこで、本考案者は、被撮影物が万華鏡に映ってシンメトリックに種々変化する映像、いわゆる主として虚像の集まりを撮影できるのに加えて、被撮影物の実像を組み合わせた映像や写真、または、実像と虚像の重畳した映像や写真が撮影できる装置で、特に時計、宝石その他の小物商品などの展示紹介にも利用できる万華鏡撮影装置を提供するものである。
【課題を解決するための手段】
【０００６】
上記の目的を達成するために、本考案の請求項１に係る万華鏡撮影装置は、雲台上に載置したカメラと、複数の鏡面を平行に対向して多角形に配設した万華鏡と、からなると共に、該万華鏡の鏡筒の片方の端部をカメラのレンズに近接して配置した万華鏡撮影装置において、該カメラレンズの前球部の内径が、該万華鏡の覗き穴を有する該端部よりも大きくなるように構成し、かつ、該前球部の内径の一端と該万華鏡端部の一端が重なるように該鏡筒の軸心を片寄らせて配置して、被撮影物の実像と虚像とを組合わせた映像を得ることができることを特徴とする。また、請求項２に係る万華鏡撮影装置は、請求項１に記載の万華鏡撮影装置において、前記万華鏡の鏡筒端部の差渡し径が、前記カメラ前球部の内径の０．５〜０，８の範囲であることを特徴とする。
【０００７】
この構成を採用することにより、本考案の万華鏡撮影装置を通して被撮影物を撮影すれば、被撮影対象が万華鏡を通して映し出されたシンメトリックな多面の虚像と、万華鏡を通らずにカメラレンズの視野の一部から入る実像とを、組合わせた映像をカメラレンズの視野に構成できるので、この映像をカメラで撮影することができ、また、ファインダーから覗くことも可能である。さらに、カメラレンズの前球部内径より小さい径の万華鏡の鏡筒端部を前球部の端に合わせて、片方に寄せることにより、カメラレンズの視野に占める万華鏡を通る虚像の占める視野の比率を変えることができるので、万華鏡を通らない実像と、万華鏡を通る虚像との面積比率やそれらの形状を変えた映像を得ることができる。また、前述の場合において、万華鏡の鏡筒端部の径が、前記カメラ前球部径の０．５〜０，８の範囲であれば、満月状に映る虚像と、その虚像の片側に三日月形状の実像を配した映像を得ることができる。前述のように、被撮影対象物の実像と虚像を組合わせることにより、創作性があり、美的効果を伴う映像を作ることができ、また、写真にすることもできる。
【０００８】
また、請求項３に係る万華鏡撮影装置は、請求項１または２に記載の万華鏡撮影装置において、前記カメラのレンズの軸心と前記万華鏡の鏡筒の軸心とのなす偏角が０〜２０°になるようにカメラと万華鏡の相対的位置を調節できることを特徴とする。
【０００９】
これらの構成を採用することにより、実像に対して万華鏡を通る虚像が斜めの角度を持って組み合わさるために、実像と虚像が重畳した映像が得られ、実像と虚像の境が明瞭でなく、より美しく夢幻的な映像を得ることができる。
【００１０】
本考案の万華鏡撮影装置により、被撮影対象物の実像と虚像とを組み合わせた映像が得られ、これらの映像について、多様の変化のなかに秩序と統一ある映像を創出することができる形式美が得られる。形式美を計るルールとして、調和や、規則的な又は不規則的な繰り返し、諧調、グラデーションなどのリズムや、プロポーションや、バランス、コントラスト、アクセント等が挙げられ、これらが融合することにより美的効果が生ずる。このように、本考案装置を適宜操作することにより、被撮影物の実像と、万華鏡によるさまざまに変わる美しい模様の虚像とを組合わせた映像、または重畳した映像が得られ、創作性のある造形美を有し、かつ、美的効果を有する映像や写真を創出することができる。  
【考案の効果】
【００１１】
本考案に係る請求項１から３までに記載の万華鏡撮影装置によれば、簡易な装置であるが、今までに見られない被撮影物の実像と万華の虚像を組合わせた映像や写真が得られ、美しく幻想的で、また、美的効果を有する芸術的な表現を可能にした。また、カメラのレンズ交換や万華鏡の鏡面構成を変えることによっても、本考案装置により得られる映像や写真を多種・多様に変化させて創出することが可能となる。また、本考案装置の被撮影物を商品、例えば、時計や宝石とかにすれば、これら商品の実像と、芸術的な表現を有する虚像との組合わせの映像や写真が得られるので、これを展示に利用すれば、これら商品の販促に貢献することができる。
【考案を実施するための最良の形態】
【００１２】
本考案に係る万華鏡撮影装置の最良の実施形態について図面に基づいて説明する。図１は、本考案に係る万華鏡撮影装置の最良の実施形態を示す図であって、装置の全体斜視図である。図２は、図１において、（ａ）は、カメラレンズ軸心と万華鏡軸心とが平行な場合の平面図、（ｂ）は、（ａ）において、軸心同士が偏角を有する場合の平面図である。図３は、本考案に係る万華鏡撮影装置の最良の実施形態を示す図であって、カメラレンズの前球部と、それに近接する万華鏡の端部と、の相対的な位置関係を示した説明図である。図４は、本考案に係る万華鏡撮影装置の最良の実施形態を示す図であって、（ａ）は本考案装置による場合の模式的撮影像図、（ｂ）は従来の万華鏡による場合の模式的撮影像図である。図５は、本考案に係る万華鏡撮影装置による実施例１であって、図面代用の写真である。図６は、本考案に係る万華鏡撮影装置による実施例２であって、図面代用の写真である。
【００１３】
本考案に係る万華鏡撮影装置１は、図１、図２に示すように、三脚台６上において、カメラ雲台４に載置されたカメラ２と、万華鏡雲台５に載置された万華鏡３とが、カメラレンズ前球部２−２と万華鏡鏡筒３−４の片方の端部３−３とが近接して配置される。該端部３−３には覗き穴３−５が備わる。カメラ２と万華鏡３はそれぞれの雲台４，５に載置されるので、カメラ２と万華鏡３の相対位置は角度、Ｘ−Ｙ方向の距離、高さＺとも自由自在に調節可能である。雲台の調整機能が大きければ、雲台４、雲台５のどちらか一方をもちいても、前述の調節は可能である。
【００１４】
カメラ２は、デジタルカメラであれば、映像を見る場合に、液晶モニターで映像そのものを確認できるし、また、映像を拡大したり、投写する場合にもデジタルカメラの方が実施し易い。また、フィルムカメラは、一眼レフカメラであれば、ファインダーでレンズ２−１を通る映像を実際に確認できるので問題がない。撮影に用いられるカメラレンズ２−１は、万華鏡３の長さに離れた場所にある被撮影物１０を写す実像１０−１と、被撮影物１０の万華鏡３を通して写す虚像１０−２とを、同一視野で映像化又は写真化するためには、レンズ口径が大きく、焦点距離１００ｍｍ前後の中望遠のマクロレンズが望ましい。これにより、被撮影物を主体に映し出すことができ、外乱になる周辺の映像が入り込み難い。
【００１５】
万華鏡３は、通常円筒形又は多角形の鏡筒３−４の中に、二枚以上の平面鏡３−２の鏡面を内側にし、かつ、対向する鏡面を平行にして、三角以上の多角形に嵌め込んだものを用いることができる。鏡筒３−４のカメラ２側の端部３−３は、中心に覗き穴３−５のある壁面で構成され、反対側の被撮影物１０に対向する端部は、鏡面３−２で構成された多角形の開口が備わったものである。２枚の平面鏡３−２の場合、この平面鏡３−２をＶ字型に張り合わせると、Ｖの角度は２０〜６０°の範囲にとれるが、Ｖの角度が３０°なら６面体（６芒星）、４５°なら４面体（４芒星）になり、また、Ｖの開口部は黒色で反射がない場合には、反射像は閉じた円になって、曼荼羅のような映像を作り出す。３枚の平面鏡３−２を正三角形に張り合わせた場合には、鏡同士で反射が続き、無限にシンメトリックな映像を作くることができ、鏡を合わせる角度を変えると、映像も様々に変えることができる。
【００１６】
本考案に係る万華鏡撮影装置１の特徴は、カメラ２と万華鏡３との平面的配置にあり、図２に示すように、カメラ２のレンズ２−１の軸心βと、万華鏡３の鏡筒３−４、即ち、Ｖの角度が２０°で３枚の平面鏡３−２で組合わされた鏡の軸心αとの間が、ずれの距離ｄだけ片寄りしている。これにより、図３に示すように、カメラレンズ２−１の前球部２−２の内径が、万華鏡の覗き穴３−５を有する端部３−３よりも大きくなるように構成し、かつ、前球部２−２の内径の一端と万華鏡３端部３−３の一端が重なるように鏡筒の軸心αを片寄らせて配置することができる。また、万華鏡３の鏡筒端部３−３の差渡し径が、カメラ前球部２−２の内径の０．５〜０，８の範囲になるように決められる。
【００１７】
図３は、模式的に、カメラ２のレンズ前球部２−２の面積に対する万華鏡３の端部３−３の占める面積を表わしている。万華鏡３は３枚の平面鏡３−２から構成され、平面鏡３−２の鏡面内角γは２０°をなしており、端部３−３の壁面には覗き穴３−５を設けている。本装置１により、被撮影物１０の実像１０−１は、前球部２−２の万華鏡端部３−３が被っていない三日月状のエリアを通ってカメラ２に入る。一方、被撮影物１０の虚像１０−２は、前球部２−２において、万華鏡端部３−３の満月状のエリアを通ってカメラ２に入る。この場合の液晶モニターで見た撮影像図を図４ａで表わしているが、被撮影物１０（時計）の実像１０−１があり、その実像１０−１に隣接して被撮影物１０の虚像１０−２がシンメトリカルな多面体の形をとって映し出されている。また、この場合レンズ径を絞ると、絞りの羽根が万華鏡端部３−３の覗き穴３−５の視野を塞いで、万華鏡３の虚像１０−２が写らなくなるので、レンズの絞りを開放で撮る必要がある。一方、図４ｂに示したのは、前述の撮影条件において、カメラ２の前球部レンズ２−２と万華鏡端部３−３の隙間を黒布で覆った場合で、実像１０−１がレンズ２−２に入らないから、虚像１０−２のみが映し出されている従来の例である。したがって、本考案に係る万華鏡撮影装置１により撮影した映像は、図４ａに示すように、映像は実像とシンメトリカルな多面体の虚像との組合せとなり、従来にない創作性のある美的効果をもたらす芸術写真を提供することができる。
【００１８】
また、図２（ｂ）に示すように、カメラ２のレンズ２−１の軸心βと万華鏡３の鏡筒３−４の軸心αとが平行でなくて、α、βのなす角度δを０〜２０°範囲内になるように各雲台４、５を操作して、偏らせることができる。この場合には、実像１０−１に対して万華鏡３を通る１０−２虚像が斜めの角度を持って組み合わさるために、実像１０−１と虚像１０−２が重畳した映像が得られ、実像１０−１と虚像１０−２の境が明瞭でなく、より美しく夢幻的であって、造形美のある映像を得ることができる。
【００１９】
図５，６には、Ｆ２．８，焦点距離１００ｍｍのレンズ２−１を嵌めた一眼レフカメラ２と３枚の平面鏡３−２で、鏡面内角γが２０°を持つ、鏡筒３−４の長さ２００ｍｍの万華鏡３とで構成した万華鏡撮影装置１を用いて、万華鏡３の先に７ｃｍ離して置いて、被撮影物１０の時計及び指輪を対象に写した映像写真の実施例１及び２を示す。図５は、レンズ２−１の前球部２−２において、レンズ２−１軸心βと鏡筒３−４の軸心αとのずれｄが５ｍｍあって、かつ、軸心同士の偏角δが１５°の場合で、時計と指輪の間隔を約７ｃｍ離した時の映像写真である。図６は、図５の場合と比べて、軸心同士の偏角δを２０°とし、時計と指輪の間隔がより近い約５ｃｍに近づけた以外は同じ撮影の条件で、写した映像写真である。図５の撮影映像は、時計の実像と指輪のシンメトリカルな多面体の虚像とが若干重なり合った組合せとなり、従来にない創作性のある美的な写真である。図６は、時計の実像と指輪の虚像が図４の場合よりも、もっと重畳した映像が得られ、時計の実像と指輪の虚像の境が明瞭でなく、より重畳した、夢幻的であって、造形美のある映像が得られた。
【００２０】
これまで述べたように、実像１０−１は鮮明な映像であるのに対し、虚像１０−２は少し不鮮明な映像で、シンメトリックな多面体の映像であるから、これらを組合わせた映像は、従来の撮影では得られない映像である。したがって、被撮影物を時計や指輪などの小物商品を対象にすると、三日月形状の視野には鮮明な時計の実像１０−１と、満月状の視野には時計と指輪の虚像１０−２とが組み合わさった映像を撮影することができる。従来の商品展示の実像１０−１だけの写真の場合と異なり、商品の実像１０−１に加えて、不鮮明ではあるが数多くの虚像１０−２が加わるので、従来に無い幻想的な、創作性のある美的効果を有する商品展示写真を得ることができる。これにより観る人の興味を惹きつけ、展示商品に関心をもたらせるなど商品展示に大いに貢献することができる。また、この被撮影物は、商品に限定されることなく、景色、人物、建造物など幅広く対象にすることが可能で、それらの実像と虚像が組合わさった芸術的な映像や写真を得ることもできる。
【産業上の利用可能性】
【００２１】
商品販促のための展示用映像又は写真の撮影や、人物、景色、建造物等の芸術的な映像又は写真の撮影手段に適用することができる。
【図面の簡単な説明】
【００２２】
【図１】は、本考案に係る万華鏡撮影装置の最良の実施形態を示す図であって、装置の全体斜視図である。
【図２】は、図１において、（ａ）は、カメラレンズ軸心と万華鏡軸心とが平行な場合の平面図、（ｂ）は、（ａ）において、軸心同士が偏角を有する場合の平面図である
【図３】は、本考案に係る万華鏡撮影装置の最良の実施形態を示す図であって、カメラレンズの前球部と、それに近接する万華鏡の端部と、の相対的位置関係を示した説明図である。
【図４】は、本考案に係る万華鏡撮影装置の最良の実施形態を示す図であって、（ａ）は本考案装置による場合の模式的撮影像図、（ｂ）は従来の万華鏡による場合の模式的撮影像図である。
【図５】は、本考案に係る万華鏡撮影装置による実施例１であって、図面代用の写真である。
【図６】は、本考案に係る万華鏡撮影装置による実施例２であって、図面代用の写真である。
【符号の説明】
【００２３】
１：万華鏡撮影装置。    ２：カメラ      ２−１：レンズ
２−２：レンズ前球部    ２−３：カメラ本体    ３：万華鏡
３−１：鏡部          ３−２：平面鏡        ３−３：端部
３−４：鏡筒          ３−５：覗き穴      ４：カメラ雲台  
５：万華鏡雲台        ６：三脚台
１０：被撮影物      １０−１：実像        １０−２：虚像
α：鏡筒軸心      β：レンズ軸心    γ：鏡面内角    ｄ：ずれ
δ：軸心間偏角  
【図１】
0003144684.tif 000003
【図２】
0003144684.tif 000004
【図３】
0003144684.tif 000005
【図４】
0003144684.tif 000006
【図５】
0003144684.tif 000007
【図６】
0003144684.tif 000008
【手続補正書】
【提出日】平成20年6月30日(2008.6.30)
【手続補正１】
【補正対象書類名】図面
【補正対象項目名】図５
【補正方法】変更
【補正の内容】
【図５】
0003144684.tif 000009
【手続補正２】
【補正対象書類名】図面
【補正対象項目名】図６
【補正方法】変更
【補正の内容】
【図６】
0003144684.tif 000010